(57)【要約】本発明は、運転者の視野にある車両フロントガラスに対して取り外し可能に取り付けることができるヘッドアップディスプレイ用投影スクリーンを取り付ける装置に関する。当該装置は、投影スクリーン用保持器を含む。保持器は、ベース枠（５）との取り外し可能接続を形成する。保持器は、投影スクリーンが取り付けられるキャリア（１）であって、少なくとも２つの磁石結合箇所によってベース枠（５）に接続することができるキャリア（１）を有する。
2013543460.tif 000002
【特許請求の範囲】
【請求項１】
運転者の視野にある車両フロントガラスに取り外し可能に嵌めることができるヘッドアップディスプレイ用投影スクリーンを取り付ける装置であって、
投影スクリーン用保持器を含み、
前記保持器はベース枠（５）との解放可能な接続を形成し、
前記保持器は、前記投影スクリーンが取り付けられるキャリア（１）を有し、
前記キャリア（１）は、少なくとも２つの磁石結合箇所によって前記ベース枠（５）に接続することができる装置。
【請求項２】
第１磁石結合箇所がプリズム／球のペアによって形成され、第２磁石結合箇所が前記第１磁石結合箇所から離間される、請求項１に記載の装置。
【請求項３】
第１磁石結合箇所がプリズム／円筒のペアによって形成され、第２磁石結合箇所が前記第１磁石結合箇所から離間される、請求項１に記載の装置。
【請求項４】
離間される前記第２磁石結合箇所は平面／球のペアによって形成される、請求項２又は３に記載の装置。
【請求項５】
離間される前記第２磁石結合箇所は平面／円筒のペアによって形成される、請求項２又は３に記載の装置。
【請求項６】
前記磁石結合箇所は、永久磁石として設計される磁石（４）を含む、請求項１から５のいずれか一項に記載の装置。
【請求項７】
前記磁石（４）は前記ベース枠（５）に嵌められ、前記磁石（４）に対応し及び強磁性材料から作られる対応部（３）が前記キャリア（１）に配列される、請求項６に記載の装置。
【請求項８】
前記磁石（４）は前記キャリア（１）に嵌められ、前記磁石（４）に対応し及び強磁性材料から作られる対応部（３）が前記ベース枠（５）に配列される、請求項１から３のいずれか一項に記載の装置。
【請求項９】
前記キャリア（１）と前記ベース枠（５）との接続は、スナップ嵌め接続によって追加的に安定にされる、請求項１から８のいずれか一項に記載の装置。
【請求項１０】
前記スナップ嵌め接続は、
前記ベース枠（５）に取り付けられる安定化舌部（６）と、
前記キャリア（１）に設けられる開口と
から形成される、請求項９に記載の装置。
【発明の詳細な説明】
【技術分野】
【０００１】
本発明は、運転者の視野にある車両フロントガラス上に取り外し可能に嵌めることができるヘッドアップディスプレイ用投影スクリーンのための取り付け装置に関する。
【背景技術】
【０００２】
車両関連情報が、ＴＦＴディスプレイによって投影スクリーン上に投影される。投影スクリーンは、高温、日光、及び引っかき傷により引き起こされる高レベルの機械的及び熱的応力を受ける。したがって、これらのコンポーネントは通常、車両の耐用年数の間に何回か交換する必要がある。
【０００３】
従来技術により知られている装置の場合、投影表面が損傷すると、装置全体を交換する必要がある。
【０００４】
特許文献１は、関節レバー装置の補助によって投影スクリーンが、フロントガラスから保護位置まで枢動することができる装置を記載する。これによれば投影表面の耐用年数を延ばすことができるが、それにもかかわらず、投影表面を交換する場合には装置全体を取り外す必要がある。
【先行技術文献】
【特許文献】
【０００５】
【特許文献１】特開２００４−４１２６４５０号公報
【発明の概要】
【０００６】
本発明の目的は、取り替え又は修理が必要な投影スクリーンを簡単に交換することができる装置を与えることにある。
【０００７】
この目的は、本発明によれば、ベース枠との解放可能な接続を形成する投影スクリーン用保持器を含む装置によって達成される。当該保持器は、投影スクリーンが取り付けられるキャリアを有し、当該キャリアは、少なくとも２つの磁石結合箇所によって当該ベース枠に接続することができる。
【０００８】
当該解放可能な接続は、投影スクリーンが取り付けられる安定キャリアを含む。当該安定キャリアは、交換中に投影スクリーンの光学的表面が変形されないことを確保する。
【０００９】
画定された当接を確保するべく、点状又は線状接触部を有する結合箇所が設けられる。独占的に点状接触部を目的とするには、３つの結合箇所が必要である。線状接触部を目的とするには、少なくとも２つの結合箇所が必要である。
【００１０】
第１磁石結合箇所をプリズム／球のペアによって形成し、第２磁石結合箇所を第１磁石結合箇所から離間させる有利な実施例が与えられる。
【００１１】
第１磁石結合箇所をプリズム／円筒のペアによって形成し、第２磁石結合箇所を第１磁石結合箇所から離間させることもできる。
【００１２】
この構成により、正確に画定された当接を確保することができる。取り付け及び取り外しを、簡単に、かつ、なんら補助手段を必要とせずに行うことができる。
【００１３】
離間された第２磁石結合箇所は、平面／球のペア又は平面／円筒のペアによって形成することができる。これにより、高レベルの位置決め精度及び回転に対抗する有効な安定動作を確保することができる。
【００１４】
有利には、永久磁石が磁石結合箇所に使用される。
【００１５】
好ましくは、磁石はベース枠に嵌められ、当該磁石に対応し及び強磁性材料から作られる対応部が当該キャリアに配列される。
【００１６】
磁石はまた、キャリアに嵌められ、当該磁石に対応し及び強磁性材料から作られる対応部が当該ベース枠に配列される。
【００１７】
スナップ嵌め接続により、キャリアとベース枠との接続を追加的に安定させることができる。これにより、当該キャリアが当該ベース枠に挿入される際に、所望位置に到達したという合図を示すことができる。
【００１８】
スナップ嵌め接続の好ましい実施例の場合、当該ベース枠に取り付けられる安定化舌部が、当該キャリアに設けられた開口に係合する。
【００１９】
添付の概略図を参照して本発明が詳細に説明される。
【図面の簡単な説明】
【００２０】
【図１】本装置の可能な実施例の概略図を示す。
【発明を実施するための形態】
【００２１】
投影スクリーン（ここには例示しない）がキャリア１に取り付けられる。キャリア１は、ベース枠５に面する一側部に延伸アーム部２を含む。延伸アーム部２には、強磁性材料から作られた円筒又は球の一区分状の対応部３が嵌められる。対応部３は、キャリア１に面するベース枠５の側部上に設けられた凹部に係合する。当該凹部には磁石４が配置される。図面の左側に例示される磁石４．１は凹部を有し、右側に例示される磁石４．２は平坦表面を有する。これらの表面は、強磁性対応部３に対する接触表面を形成する。これにより、ベース枠５上でのキャリア１の正確な位置決めを確保する解放可能な接続がもたらされる。
【００２２】
ペアをなす箇所は様々な態様で構成することができる。対応部３は、半円筒又は半球の形状の部分として設計することができる。磁石４．１は、プリズム状又は球状の凹部を有してもよい。
【００２３】
取り付けられた状態における位置は、安定化舌部６によって安定にされる。安定化舌部６は、ベース枠５に追加的に締結される。安定化舌部６は、所望位置に到達すると、キャリア１に設けられた開口内に係合する。
【符号の説明】
【００２４】
１  キャリア
２  キャリアの延伸アーム部
３  強磁性材料製の対応部
４  磁石
４．１  凹部を有する磁石
４．２  平坦接触表面を有する磁石
５  ベース枠
６  安定化舌部
【図１】
2013543460.tif 000003
【国際調査報告】
2013543460.tif 000004
2013543460.tif 000005
2013543460.tif 000006
2013543460.tif 000007